(57)【特許請求の範囲】
【請求項１】
測定用プローブのソケットに挿入されるケーブルの抜けを防止するためにプローブの先端部分を覆うように装着されるケーブル抜け止め用カバーであって、
前記ケーブルはケーブルよりも大きな径の略円錐状のフランジを有し、
前記カバーの前面には前記ケーブルを挟んで保持する一対の保持片を有し、
この保持片は、側面からみた断面形状が略Ｌ字であり、対向する辺は前後方向に弾性を有する開放端として形成されるとともにその後側には前記ケーブルのフランジが嵌め合う位置決め用の略半円錐状の凹部が形成され、対向する辺のすき間の間隔は前記フランジの径よりも小さいことを特徴とするケーブル抜け止め用カバー。
【請求項２】
前記一対の保持片は、前記フランジを前記測定用プローブとで挟んで固定することを特徴とする請求項１記載のケーブル抜け止め用カバー。
【発明の詳細な説明】
【技術分野】
【０００１】
本発明は、波形測定装置（例えば、オシロスコープ）に接続される測定用プローブの先端部分に装着され、測定用プローブ先端部分の前面に設けられるソケットに挿入されるケーブルの抜けを防止するためのケーブル抜け止め用カバーに関し、詳しくは、ケーブルを十分な保持力で保持できると共に、ケーブル、測定用プローブの操作性、耐久性を落とすことがないケーブル抜け止め用カバーを実現することにある。
【背景技術】
【０００２】
波形測定装置では、装置本体に測定用プローブを接続し、この測定用プローブを介して被測定対象からの信号を装置本体に伝送する。
【０００３】
近年、被測定対象の信号が伝送されるプリント基板上の配線は、微細化、高密度化が進んでいる。また、測定対象の信号を入出力するＩＣやコネクタ等は、端子間のピッチが非常に狭くなっている。さらに、チップ抵抗、コンデンサ等の素子も非常に小さくなっている。このような配線、端子、素子等を測定する場合、オシロスコープのプローブ先端の測定用ピンを配線、端子、素子等に直接接続することが困難になっている。
【０００４】
そこで、上述のような測定環境の都合により被測定対象に直接プローブの測定用ピンを接触させて測定することが困難な場合、ケーブルを用いて測定が行なわれる。
【０００５】
図５は、従来のオシロスコープのプローブを示した図である（例えば、特許文献１参照）。図５に示すように、被測定対象のプリント基板１０上のテスト用ピンにケーブル２０の一端を接続し、他端をオシロスコープの測定用プローブ３０先端のピン穴３１に挿入して測定を行なう。もちろん、ケーブル２０を介して、基板１０の測定対象部とプローブ３０とは電気的に接続される。
【０００６】
図６は、プローブ３０の先端部分、プローブ３０に接続されるケーブル２０の端部を示した図である。
図６において、ケーブル２０の先端部分は、金属ピン２１が設けられる。一方、プローブ３０のピン穴３１には、ソケット４０が設けられる。また、ソケット４０は、接触バネ４１が設けられる。そして、接触バネ４１が、ソケット４０に挿入されたケーブル２０の金属ピン２１を保持する。また、接触バネ４１で保持しているので、ケーブル２０がプローブ３０から着脱可能になっている。
【０００７】
【特許文献１】特開２００２−１１６２２３号公報
【発明の開示】
【発明が解決しようとする課題】
【０００８】
しかしながら、ケーブル２０は、金属ピン２１と接触バネ４１との接触圧によりプローブ３０から脱落しないように保持されているが、この接触圧を上回る外力が加わると脱落してしまうという問題があった。
【０００９】
また、一般的にプローブ３０は、小さい被測定対象に使われるため小型化が要求される。そのためソケット４０も非常に小さく、外力に対してケーブル２０を保持する十分な強度を持つことが困難であるという問題があった。
【００１０】
さらに、被測定対象の形状、信号の種類等によって、プローブ３０にはケーブル２０以外にも様々なアタッチメントを着脱して使用する。そのため、接触バネ４０の接触圧を大きくして保持力を上げることにより操作性が著しく落ちることも問題である。
【００１１】
例えば、図７は、ケーブル２０とは異なるアタッチメントの一例を示した図である。図７（ａ）は、単なる棒状の金属ピン５０である。このような金属ピン５０を用いる場合、ソケット４０の保持力が高いと小型のアタッチメント（金属ピン５０）の着脱が困難となり、扱いづらく操作性が悪い。
【００１２】
さらに、図７（ｂ）は、ケーブル２０の金属ピン２１の先端に段形状部２２を設けたものである。このような段形状部２２を設けることにより、接触バネ４１から脱落しづらくすることも可能である。しかしながら、接触バネ４１自体も小さいことが必要なため、段形状部２２を弾性範囲内で構成することは困難であり、耐久性を落としてしまうという問題があった。
【００１３】
そこで本発明の目的は、ケーブルを十分な保持力で保持できると共に、ケーブル、測定用プローブの操作性、耐久性を落とすことがないケーブル抜け止め用カバーを実現することにある。
【課題を解決するための手段】
【００１４】
請求項１記載の発明は、
測定用プローブのソケットに挿入されるケーブルの抜けを防止するためにプローブの先端部分を覆うように装着されるケーブル抜け止め用カバーであって、
前記ケーブルはケーブルよりも大きな径の略円錐状のフランジを有し、
前記カバーの前面には前記ケーブルを挟んで保持する一対の保持片を有し、
この保持片は、側面からみた断面形状が略Ｌ字であり、対向する辺は前後方向に弾性を有する開放端として形成されるとともにその後側には前記ケーブルのフランジが嵌め合う位置決め用の略半円錐状の凹部が形成され、対向する辺のすき間の間隔は前記フランジの径よりも小さいことを特徴とするものである。
請求項２記載の発明は、請求項１記載の発明において、
前記一対の保持片は、前記フランジを前記測定用プローブとで挟んで固定することを特徴とするものである。
【発明の効果】
【００１５】
本発明によれば、以下のような効果がある。
一対の保持片が、ケーブルを挟み持って固定するので、接触バネのみの場合よりも大きな保持力でケーブルを保持でき、ケーブルの脱落を防止することができる。また、一対の保持片が、対向する辺でケーブルを挟み持っているので、偶発的な外力によってケーブルが抜かれようとした場合、弾性を有する一対の保持片が外側にたわみ、ケーブルの破損を防止することができる。これらにより、ケーブルを十分な保持力で保持できると共に、ケーブル、測定用プローブの操作性、耐久性を落とすことがない。
【発明を実施するための最良の形態】
【００１６】
以下図面を用いて本発明の実施の形態を説明する。
図１〜図４は、本発明の一実施例を示した構成図である。ここで、図６と同一のものには同一符号を付し、説明を省略する。図１〜図４において、ケーブル抜け止め用カバー６０が新たに設けられる。なお、ケーブル抜け止め用カバーは、以下、カバーと略す。
【００１７】
図１は、カバー６０をプローブ３０の先端部分に装着前の展開図である。図２は、カバー６０をプローブ３０の先端に装着した状態の構成図である。図３は、カバー６０の上面図（図３（ａ））と正面図（図３（ｂ））である。図４は、カバー６０からケーブルを取り外す動作を示したケーブル中心断面図である。ここで、プローブ３０の先端部分とは、プローブ３０のうちピン穴３１が設けられる側を指している。
【００１８】
ケーブル２０の金属ピン２１は、フランジ２３が設けられる。また、プローブ３０の先端部分の両端には、凹部３２が設けられる。フランジ２３は、金属ピン２１の軸に垂直な面に設けられ、直径がピン２１よりも大きく略円錐状である。
【００１９】
ここで説明を容易にするため、プローブ３０のソケット４０にケーブル２０の金属ピン２１が挿入される方向をＺ軸とし、プローブ３０の凹部３２を結ぶ線をＸ軸とし、これらＸ軸、Ｚ軸に直交する方向をＹ軸とする。
【００２０】
また、Ｚ軸を前後（ケーブル２０が抜かれる方向を前側とし、図１参照）、Ｘ軸を左右（図３参照）、Ｙ軸を上下（図３参照）で説明する。
【００２１】
カバー６０は、プラスチック成型品であり、プローブ３０の先端部分を覆うように取り付けられる。また、カバー６０は、取り付け後にプローブ３０の先端部分を目視で確認できるように、透明または半透明にするとよい。
【００２２】
また、カバー６０はツメ部６１、一対の保持片６２が設けられる。
ツメ部６２は、左右の側面それぞれの内側に設けられ、プローブ３０の凹部３２に引っかかる。
【００２３】
一対の保持片６２は、カバー６０の前面に２個設けられる。ここで、一対の保持片が２個設けられるのは、２本のケーブル２０を挟み持つためであり、プローブ３０のピン穴３１が１個であれば、一対の保持片６２は１個でよく、ピン穴がｎ個（ｎは自然数）であれば、一対の保持片６２はｎ個になる。
【００２４】
また、一対の保持片６２は、ケーブル２０を１本ごとに上下で挟んで保持するものであり、側面からみた断面形状が略Ｌ字であり、対向する辺６２（１）、６２（２）でケーブル２０を挟み持つ。すなわち、対向する辺６２（１）、６２（２）は、開放端であり、前後方向に弾性を有する。
【００２５】
また、対向する辺６２（１）、６２（２）の後側には、ケーブル２０のフランジ２３の円錐形上に合わせた位置決め用の略半円錐状の凹部６３が形成され、この凹部は円錐傾斜面６３（１）を有する。
【００２６】
そして、一対の保持片６２の対向する辺６２（１）、６２（２）で形成されるすき間６４（以下、ケーブル固定穴と呼ぶ）の間隔は、フランジ２３の直径よりも小さい。
【００２７】
さらに、左右に並んで設けられる一対の保持片６２の間には、フランジ２３の直径より大きなすき間６５（以下、ケーブル通し穴）が設けられる。
【００２８】
なお、図１において、ケーブル２０がカバー６０の前後で切れているように図示しているが、カバー６０の形状を明確に示すためであり、実際はつながっている。
【００２９】
また、ケーブル２０の直径は１［ｍｍ］程度であり、一対の保持片６２の左右それぞれに形成されるケーブル固定穴６２同士の距離（つまり、ピン穴３１間の距離）は、４〜５［ｍｍ］程度であり、一対の保持片６２も数［ｍｍ］程度の大きさである。
【００３０】
このような装置の装着動作を説明する。
ケーブル２０の金属ピン２１、フランジ２３の順に、カバー６０のケーブル通し穴６５に前側から挿入する。そして、フランジ２３がカバー６０を通過した後、ケーブル２０を左（または右）に移動させ、ケーブル２０を一対の保持片６２で挟ませ保持させる。この際、保持片６２の解放端の後側の凹部６３とフランジ２３との円錐状部分が合わさり、ケーブル固定穴６４の所定の位置で固定される。
【００３１】
そして、カバー６０を、プローブ３０の先端に装着する。この際、左右のツメ部６１が、プローブ３０の凹部３２に引っかかり、カバー６０が、プローブ３０からは脱落しない。
【００３２】
これにより、図４（ａ）に示すように、フランジ２３は、プローブ３０の先端部分の前面と一対の保持片６２との間に挟んで固定されるので、ソケット４０の接触バネ４１よりも大きな保持力で保持でき、ケーブル２０の脱落を防止することができる。
【００３３】
また、金属ピン２１は、ソケット４０の接触バネ４１に接触し、接触圧で保持されると共に電気的にも接続される。
【００３４】
続いて、ケーブル２０に意図しない外力（例えば、ケーブル２０が間違って引っ張られた場合）加えられた場合を説明する。
【００３５】
ケーブル２０が、抜去方向、すなわち前側に引っ張られた場合、一対の保持片６２の対向する辺６２（１）、６２（２）それぞれが解放端なので、保持片６２が図４（ｂ）に示すように、ケーブル固定穴であるすき間６４の距離が開くように一対の保持片６２が外側、具体的には、上側の保持片６２は前側と上側に開き、下側の保持片６２は前側と下側に開く。これにより、一対の保持片６２がたわみ、ケーブル２０が引き抜かれる。引き抜かれ後、一対の保持片６２は、たわみがなくなり、元の形状に戻る。
【００３６】
このように、一対の保持片６２が、ケーブル２０を挟み持って固定すると共に、フランジ２３を押さえて固定することにより、接触バネ４１よりも大きな保持力でケーブル２０を保持でき、ケーブル２０の脱落を防止することができる。
【００３７】
そして、一対の保持片６２が、対向する辺６２（１）、６２（２）でケーブル２０を挟み持っているので、偶発的な外力によってケーブル２０が抜かれようとした場合、弾性を有する一対の保持片６２が外側にたわみ、ケーブル２０の破損を防止することができる。
【００３８】
すなわち、ケーブル２０に偶発的な外力が加わった場合、ケーブル２０がちぎれて破損したり、プローブ３０本体のソケット４０が破損することが多い。一般的に、ケーブル２０は、被測定対象の信号（高周波信号、振幅の非常に小さな差動信号等）を精度よく伝送するため、非常に高額である。同様に、プローブ３０本体も被測定対象の信号をオシロスコープ本体に出力するため、非常に高額である。一方、カバー６０は、プラスチック成型品であり、非常に安価に製造できる。これにより、何度も外力が加わってケーブル２０がカバー６０から引き抜かれたとしても、強度的に弱いカバー６０の一対の保持片６２が破損し、ケーブル２０の破損、プローブ３０本体の破損を防ぎ高額な費用の発生を抑えることができる。
【００３９】
もちろん、ケーブル２０が損傷しない最適な外力で、ケーブル２０が安全にカバー６０から引き抜かれるようにするには、フランジ２３の大きさ、ケーブル固定穴６４の大きさ、凹部６３の円錐傾斜面６３（１）を最適な寸法に設定し、製造するとよい。
【００４０】
また、カバー６０は、測定用プローブ３０とのセットとしてでなく、付属品としてユーザに提供することができ、プローブ３０本体の破損、安定性、耐久性を落とすことがない。
【００４１】
なお、本発明はこれに限定されるものではなく、以下に示すようなものでもよい。
（１）カバー６０を、波形測定装置に測定用プローブの先端部分に用いる構成を示したが、挿抜が必要な組合せで保持力を向上させたいものに適用するとよい。
【００４２】
（２）カバー６０は、プラスチックとする構成を示したが、どのような素材であってもよい。
【００４３】
（３）測定用プローブ３０のソケット４０にケーブル２０を着脱する構成を示したが、ケーブル２０とは異なるアタッチメント、例えば、金属ピン５０でもよい。
【図面の簡単な説明】
【００４４】
【図１】本発明の一実施例を示した構成図（カバー６０をプローブ３０の先端部分に装着前の展開図）である。
【図２】図１に示す装置におけるカバー６０をプローブ３０の先端に装着した状態の構成図である。
【図３】カバー６０の上面図と正面図である
【図４】カバー６０からケーブルを取り外す動作を示したケーブル中心断面図である
【図５】従来の測定用プローブとケーブルの構成を示した図である。
【図６】従来の測定用プローブの先端部分とケーブルとの構成を示した図である。
【図７】従来のその他のアタッチメントを示した図である。
【符号の説明】
【００４５】
２０  ケーブル
２３  フランジ
３０  プローブ
３２  凹部
４０  ソケット
４１  接触バネ
６０  カバー
６１  ツメ部
６２  保持片
６２（１）、６２（２）  対向辺
６３  凹部
６４  ケーブル固定穴
６５  ケーブル通し穴
【図１】
0005056473.tif 000002
【図２】
0005056473.tif 000003
【図３】
0005056473.tif 000004
【図４】
0005056473.tif 000005
【図５】
0005056473.tif 000006
【図６】
0005056473.tif 000007
【図７】
0005056473.tif 000008